Podtech/llm-jp-corpus-v4-ja_patent huggingface dataset:
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
遊技進行の制御を司る主制御手段と、
前記主制御手段からの指令に基づき遊技に関連する演出の制御を司る演出制御手段と、
前記演出制御手段によって制御され、遊技展開に応じた演出を行う少なくとも演出ランプを備えた演出手段とを有し、
前記演出制御手段における制御として、連続的に繰り返されるループ処理を含むメイン処理と、所定の条件が成立したときに前記メイン処理を中断させて開始される割込み処理とが実行される構成の遊技機であって、
前記演出制御手段の前記割込み処理には、前記主制御手段から送信される演出制御コマンドを受信するコマンド受信割込みを有し、
前記演出制御手段の前記メイン処理には、前記コマンド受信割込みで受信した演出制御コマンドを解析して、前記演出手段で実行する演出動作内容を決定するコマンド解析処理を有し、
前記コマンド解析処理において、解析する演出制御コマンドが変動表示を開始する際に送信される演出制御コマンドである場合には、当該変動表示において前記演出手段で実行すべき演出動作内容を決定する変動演出内容決定処理を実行し、
前記コマンド解析処理において、解析する演出制御コマンドがエラー状態を示す演出制御コマンドである場合には、エラー状態に対応する報知演出を前記演出手段で実行するよう演出動作内容を決定するエラー演出内容決定処理を実行し、
前記変動演出内容決定処理および前記エラー演出内容決定処理には、前記演出ランプに対する演出動作内容に係る情報を設定する処理が含まれ、
前記演出制御手段のメイン処理には、所定の演出ランプに対する演出動作内容に係る情報が同時に複数設定されている場合には、所定の優先順位に従って前記演出ランプを点灯制御するデバイス管理処理を有することを特徴とする遊技機。
【手続補正２】
【補正対象書類名】明細書
【補正対象項目名】０００６
【補正方法】変更
【補正の内容】
【０００６】
このような目的達成のために、本発明に係る遊技機は、遊技進行の制御を司る主制御手段と、主制御手段からの指令に基づき遊技に関連する演出の制御を司る演出制御手段と、演出制御手段によって制御され、遊技展開に応じた演出を行う少なくとも演出ランプを備えた演出手段とを有し、演出制御手段における制御として、連続的に繰り返されるループ処理を含むメイン処理と、所定の条件が成立したときにメイン処理を中断させて開始される割込み処理とが実行される構成の遊技機であって、演出制御手段の割込み処理には、主制御手段から送信される演出制御コマンドを受信するコマンド受信割込みを有し、演出制御手段のメイン処理には、コマンド受信割込みで受信した演出制御コマンドを解析して、演出手段で実行する演出動作内容を決定するコマンド解析処理を有し、コマンド解析処理において、解析する演出制御コマンドが変動表示を開始する際に送信される演出制御コマンドである場合には、当該変動表示において演出手段で実行すべき演出動作内容を決定する変動演出内容決定処理を実行し、コマンド解析処理において、解析する演出制御コマンドがエラー状態を示す演出制御コマンドである場合には、エラー状態に対応する報知演出を演出手段で実行するよう演出動作内容を決定するエラー演出内容決定処理を実行し、変動演出内容決定処理およびエラー演出内容決定処理には、演出ランプに対する演出動作内容に係る情報を設定する処理が含まれ、演出制御手段のメイン処理には、所定の演出ランプに対する演出動作内容に係る情報が同時に複数設定されている場合には、所定の優先順位に従って演出ランプを点灯制御するデバイス管理処理を有するよう構成される。また、参考発明に係る遊技機は、遊技進行の制御を司る主制御手段と、前記主制御手段からの指令に基づき遊技に関連する演出の制御を司る演出制御手段とを有し、前記演出制御手段における前記演出の制御として、連続的に繰り返されるループ処理を含むメイン処理と、所定の条件が成立したときに前記メイン処理を中断させて開始される複数の割込み処理とが実行される構成の遊技機であって、前記複数の割込み処理には、少なくとも二以上の割込み処理が開始される場合の割込みの優先順位が定められ、優先順位の高い割込み処理は優先順位の低い割込み処理よりも優先的に実行されるようになっており、前記メイン処理と一以上の前記割込み処理とは、一部において共通の処理を含む制御処理をそれぞれ含み、前記メイン処理の前記制御処理は、割込みを許可する割込み許可処理と、割込みを禁止する割込み禁止処理と、前記割込み許可処理と前記割込み禁止処理との間で実行される前記共通の処理とを含み、前記割込み処理の前記制御処理は、前記割込み許可処理と前記割込み禁止処理とを含まず、前記共通の処理のみを含むよう構成される。
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
外枠に開閉可能に本体枠を設け、前記本体枠には遊技盤を収容し、前記本体枠には球タンクを備え、前記球タンクに貯留した遊技球を賞球として計数し遊技者に払出すことの出来る払出装置を備えた遊技機において、
前記払出装置には、前記球タンクから流入した遊技球を電気的駆動手段により１個毎に検出しながら計数して遊技者に払出す球送り部と、前記球送り部に流入する以前の遊技球を前記遊技機外に排出するための球抜き通路と、前記球抜き通路を開放させる球抜き操作部をさらに備え、
前記払出装置は前記遊技機背面視において前記本体枠の右方に、そして、前記払出装置に備えた前記球抜き操作部は前記遊技機背面視において前記払出装置の左方に配置し、
前記遊技盤を前記本体枠から取り外した状態で前記本体枠の正面から前記球抜き操作部を操作可能である
こと特徴とした遊技機。
【手続補正２】
【補正対象書類名】明細書
【補正対象項目名】０００２
【補正方法】変更
【補正の内容】
【０００２】
従来より、メンテナンスや、遊技機の移動のために、島設備より供給された遊技球を抜き取るための球抜きの機能がある遊技機が提案されている（例えば、特許文献１）。
【手続補正３】
【補正対象書類名】明細書
【補正対象項目名】０００３
【補正方法】変更
【補正の内容】
【０００３】
【特許文献１】特開２００８−０８６４４２号公報（図４）
【手続補正４】
【補正対象書類名】明細書
【補正対象項目名】０００４
【補正方法】変更
【補正の内容】
【０００４】
ところで、この球抜きを行うための操作部は特許文献１の図４にある球抜きレバー１２０のように遊技機周縁部、つまり遊技機を正面視して左端（背面視して右端）に設けられていることが多い。
【手続補正５】
【補正対象書類名】明細書
【補正対象項目名】０００５
【補正方法】変更
【補正の内容】
【０００５】
このように遊技機の球抜き操作部の設置位置には改良の余地がある。
【手続補正６】
【補正対象書類名】明細書
【補正対象項目名】０００６
【補正方法】変更
【補正の内容】
【０００６】
本発明は、このような事情に鑑みてなされたものであり、遊技機の球抜き操作部を改良した遊技機を提供することにある。
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】変更
【補正の内容】
【０００９】
上述の目的を達成するための有効な解決手段を以下に示す。
【手続補正１０】
【補正対象書類名】明細書
【補正対象項目名】００１０
【補正方法】変更
【補正の内容】
【００１０】
（解決手段１）
外枠に開閉可能に本体枠を設け、前記本体枠には遊技盤を収容し、前記本体枠には球タンクを備え、前記球タンクに貯留した遊技球を賞球として計数し遊技者に払出すことの出来る払出装置を備えた遊技機において、前記払出装置には、前記球タンクから流入した遊技球を電気的駆動手段により１個毎に検出しながら計数して遊技者に払出す球送り部と、前記球送り部に流入する以前の遊技球を前記遊技機外に排出するための球抜き通路と、前記球抜き通路を開放させる球抜き操作部をさらに備え、前記払出装置は前記遊技機背面視において前記本体枠の右方に、そして、前記払出装置に備えた前記球抜き操作部は前記遊技機背面視において前記払出装置の左方に配置し、前記遊技盤を前記本体枠から取り外した状態で前記本体枠の正面から前記球抜き操作部を操作可能であること特徴とした遊技機。
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】変更
【補正の内容】
【００１５】
本発明により遊技機の球抜き操作部を改良した遊技機を提供することができる。
【手続補正書】
【提出日】平成30年10月26日(2018.10.26)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打込まれる遊技領域を有した遊技盤と、
前記遊技盤を脱着可能に支持する本体枠と、
前記本体枠の前面に対して開閉可能に支持されると共に閉鎖した時に前記本体枠に支持された前記遊技盤の少なくとも前記遊技領域が遊技者側へ臨む遊技窓を有した扉枠と、
前記遊技窓の下方に形成され、前方に膨出して前記遊技媒体を貯留可能な皿部と、発光可能な皿発光部と、立体的な装飾が施された皿装飾部と、を有する皿発光装飾手段と、
前記皿発光装飾手段に近接して設けられ、前記遊技窓の外周の所定領域に立体的な装飾を施し、遊技者側へ向けて発光可能とされた第一発光装飾手段と、
前記遊技窓の外周の前記所定領域とは異なる領域に立体的な装飾を施し、前記第一発光装飾手段よりも前方に膨出した発光可能な膨出部を有する第二発光装飾手段と、
を備え、
前記皿発光装飾手段が有する前記皿装飾部に施された装飾と前記第二発光装飾手段に施された立体的な装飾とで外観の装飾が連続しているように、前記皿発光装飾手段の前記皿装飾部と前記第二発光装飾手段を隣接して配置され、
前記皿発光装飾手段は、前記第二発光装飾手段の前記膨出部よりもさらに前方に膨出して形成され、
前記本体枠の前面に対して開閉可能に支持された前記扉枠の開放側に前記膨出部が位置する
ことを特徴とする遊技機。
【手続補正２】
【補正対象書類名】明細書
【補正対象項目名】０００９
【補正方法】変更
【補正の内容】
【０００９】
こうした目的を達成するため、遊技者の操作によって遊技媒体が打込まれる遊技領域を有した遊技盤と、前記遊技盤を脱着可能に支持する本体枠と、前記本体枠の前面に対して開閉可能に支持されると共に閉鎖した時に前記本体枠に支持された前記遊技盤の少なくとも前記遊技領域が遊技者側へ臨む遊技窓を有した扉枠と、前記遊技窓の下方に形成され、前方に膨出して前記遊技媒体を貯留可能な皿部と、発光可能な皿発光部と、立体的な装飾が施された皿装飾部と、を有する皿発光装飾手段と、前記皿発光装飾手段に近接して設けられ、前記遊技窓の外周の所定領域に立体的な装飾を施し、遊技者側へ向けて発光可能とされた第一発光装飾手段と、前記遊技窓の外周の前記所定領域とは異なる領域に立体的な装飾を施し、前記第一発光装飾手段よりも前方に膨出した発光可能な膨出部を有する第二発光装飾手段と、を備え、前記皿発光装飾手段が有する前記皿装飾部に施された装飾と前記第二発光装飾手段に施された立体的な装飾とで外観の装飾が連続しているように、前記皿発光装飾手段の前記皿装飾部と前記第二発光装飾手段を隣接して配置され、前記皿発光装飾手段は、前記第二発光装飾手段の前記膨出部よりもさらに前方に膨出して形成され、前記本体枠の前面に対して開閉可能に支持された前記扉枠の開放側に前記膨出部が位置することを要旨とする。
【手続補正書】
【提出日】平成29年11月24日(2017.11.24)
【手続補正１】
【補正対象書類名】特許請求の範囲
【補正対象項目名】全文
【補正方法】変更
【補正の内容】
【特許請求の範囲】
【請求項１】
歯科分野用途向けの照明デバイス（１０）であって、
−  電子制御ユニット（７）を備えるハンドピース（１）と、
−  前記ハンドピースに取外し可能に結合され、かつ使用時には前記ハンドピースに回転可能に結合される第１のプローブ（２）であって、機械的かつ電気的インターフェース（１２）を有する近位端（２ａ）、および、遠位端（２ｂ）に配置された少なくとも１つの光源（４）を備える、第１のプローブ（２）と、
を備え、
前記ハンドピースが、適合性のある機械的かつ電気的インターフェースを有する複数の様々なプローブを受けるように構成され、
前記第１のプローブが、前記光源の近傍に配置された温度感知素子（５）と、プローブ識別素子（６；６０）とを備え、前記電子制御ユニットが、前記プローブの識別に従って前記光源を制御するように構成される、照明デバイス（１０）。
【請求項２】
前記温度感知素子が、抵抗値が温度に伴って変化する可変抵抗器である、請求項１に記載の照明デバイス（１０）。
【請求項３】
前記プローブ識別素子が、非接触電子識別子、特に応答器、またはＲＦＩＤ型電子タグによって形成される、請求項１または２に記載の照明デバイス（１０）。
【請求項４】
前記プローブ識別素子が、前記可変抵抗器と直列に配置された所定の抵抗器である、請求項２に記載の照明デバイス（１０）。
【請求項５】
第１のプローブの種類に対応する前記第１のプローブでは、所定の抵抗器（６）の値と、正の係数を有する可変抵抗器（５）とが、前記所定の抵抗器（６）及び前記可変抵抗器（５）の合計が２０℃〜１００℃の間からなる温度範囲で第１の抵抗値領域（６１）内に収まるように選択され、前記第１の抵抗値領域が、前記ハンドピースと適合性のある他のプローブの種類に対応する他の抵抗値領域とは別である、請求項４に記載の照明デバイス（１０）。
【請求項６】
前記電気的インターフェース（１２）が、３つの電気接点によって形成される、請求項１から５のいずれか一項に記載の照明デバイス（１０）。
【請求項７】
前記ハンドピース（１）が、長手軸（Ｘ）に沿って延び、前記電気的インターフェースの少なくとも２つの接点（２１，２２）が、軸方向に順次配置された２つの環状トラックに配置される、請求項６に記載の照明デバイス（１０）。
【請求項８】
光センサを備える別個のテスタモジュール（８）をさらに備え、前記テスタモジュールと前記ハンドピースとが、無線リンク（１８）を介して、前記光センサが受け取った光出力試験に関する情報を交換するように構成され、したがって前記ハンドピースの前記電子制御ユニットによって、前記光源の出力制御を調節／補正することができる、請求項１から７のいずれか一項に記載の照明デバイス（１０）。
【請求項９】
前記ハンドピースの後方部分を受けるように構成され、かつ前記ハンドピース内に配置された電気バッテリ（１６）を再充電するように構成された基部（３）をさらに備え、前記テスタモジュールが前記基部に組み込まれる、請求項８に記載の照明デバイス（１０）。
【請求項１０】
前記第１のプローブが、前記第１のプローブの、プローブの種類を示す色付き外側リングを備え、様々な種類のプローブのそれぞれについていくつかの色が利用可能である、請求項１から９のいずれか一項に記載の照明デバイス（１０）。
【請求項１１】
請求項１から１０のいずれか一項に記載の照明デバイス（１０）と、前記ハンドピースと適合性のある機械的かつ電気的インターフェースを有する少なくとも１つの第２のプローブとを備える照明セット。
【請求項１２】
請求項１から９のいずれか一項に記載の照明デバイス（１０）と、インターネットを介して前記ハンドピースとデータを交換するように、１種またはいくつかの新種の光プローブの特性をハンドピースに供給するように構成された遠隔サーバとを備える、システム。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
機械的歯ブラシは以下を含む：
長手方向軸線に沿っている収容部、
ハウジング内に配置された、かつ、長手方向軸線に沿っている軸部を含むブラシ毛軸アセンブリ、ハウジングの外側に配置され、かつ、軸部の周囲周りの長手方向軸線と直交して延びる複数のブラシ毛を有するヘッド部、電子制御機構がブラシ毛軸アセンブリを作動させて長手方向軸線の周りで回転させる収容部内に配置される電子制御機構、
前記ヘッド部はこれに取り付けられる基材シートと複数のブラシ毛から成り、前記基材シートは軸部の周りに円周方向に配置される機械的歯ブラシ。
【請求項２】
電子制御機構は回転の第一方向から回転の第二方向、つまり、反対の方向へ方向スイッチの操作により長手方向軸線の周りのブラシ毛軸アセンブリ回転方向切り替えができる方向スイッチを含む、請求項１に記載の機械的歯ブラシ。
【請求項３】
電子制御機構は起動スイッチの操作によりブラシ毛軸アセンブリの回転起動または停止ができる起動スイッチを含む、請求項1に記載の機械的歯ブラシ。
【請求項４】
回転の第一速度から回転の第二速度へ、つまり、回転の第一速度より速い速度へ起動スイッチの操作によりブラシ毛軸アセンブリの回転速度を変える、請求項３に記載の機械的歯ブラシ。
【請求項５】
前記複数のブラシ毛は前記基材シートに超音波溶接される、請求項１に記載の機械的歯ブラシ。
【請求項６】
前記複数のブラシ毛のそれぞれは外周が０．１ｍｍ未満である、請求項１に記載の機械的歯ブラシ。
【請求項７】
前記複数のブラシ毛のそれぞれは外周が０．０４ｍｍから０．０７ｍｍの範囲である、請求項６に記載の機械的歯ブラシ。
【請求項８】
長手方向軸線に沿っているハウジングと、
前記ハウジング内側に配置され、かつ、前記長手方向軸線に沿っている軸部分と、前記ハウジング外側に配置され、かつ、前記軸部分の周りに延び、長手方向軸線に直交する多数のブラシ毛を有するヘッド部分とを含むブラシ毛軸アセンブリ、および、前記ハウジングの内側に配置される電子制御機構を含み、前記電子制御機構は、前記ブラシ毛軸アセンブリを長手方向軸線の周りで回転させるように制御し、
前記ヘッド部分は基材を含み、前記基材は、多数のブラシ毛を備え、かつ、前記軸部分の周りに配置され、
前記軸部分は、ギアボックスに、コネクターを介することで離されて接続され、
О型のシールリングは、前記ブラシ毛軸の端に配置され、
前記ギアボックスは、モーターに接続され、前記モーターは、ＰＣＢボードに接続される、電動の歯ブラシ。
【請求項９】
前記電子制御機構は、方向スイッチを含み、
前記方向スイッチが、前記ブラシ毛軸アセンブリが長手方向軸線の周りを回転する方向を、一つの回転方向からもう一つの反対の回転方向に変更させ得るように操作する、
請求項８に記載の電動の歯ブラシ。
【請求項１０】
前記電子制御機構は、起動スイッチを含み、
前記起動スイッチが、前記ブラシ毛軸アセンブリの回転を起動または停止し得るように操作する、
請求項８に記載の電動の歯ブラシ。
【請求項１１】
前記起動スイッチが、前記ブラシ毛軸アセンブリの回転速度を、第１の回転速度から、第１の回転速度よりも速い第２の回転速度に変更させ得るように操作する、
請求項１０に記載の電動の歯ブラシ。
【請求項１２】
前記多数のブラシ毛は、超音波溶接により前記基材に固定される、
請求項８に記載の電動の歯ブラシ。
【手続補正書】
【提出日】平成29年11月21日(2017.11.21)
【手続補正１】
【補正対象書類名】明細書
【補正対象項目名】発明の名称
【補正方法】変更
【補正の内容】
【発明の名称】電子機器
【手続補正２】
【補正対象書類名】特許請求の範囲
【補正対象項目名】全文
【補正方法】変更
【補正の内容】
【特許請求の範囲】
【請求項１】
トランジスタと、第１乃至第４のスイッチと、第１の容量素子と、第２の容量素子と、を有し、
前記トランジスタの第１のゲートは前記第１のスイッチを介して第１の配線と電気的に接続され、
前記トランジスタの第１のゲートは前記第２のスイッチを介して前記トランジスタのソース又はドレインの一方と電気的に接続され、
前記トランジスタのソース又はドレインの他方は第２の配線と電気的に接続され、
前記トランジスタの第２のゲートは前記第３のスイッチを介して第３の配線と電気的に接続され、
前記トランジスタのソース又はドレインの一方は前記第４のスイッチを介して第４の配線と電気的に接続され、
前記第１の容量素子は前記トランジスタの前記第１のゲートと前記トランジスタのソース又はドレインの一方との間の電位差を保持する機能を有し、
前記第２の容量素子は前記トランジスタの前記第２のゲートと前記トランジスタのソース又はドレインの一方との間の電位差を保持する機能を有し、
前記トランジスタのソース又はドレインの一方は前記発光素子と電気的に接続される電子機器。
【請求項２】
トランジスタと、第１乃至第４のスイッチと、第１の容量素子と、第２の容量素子と、を有し、
前記トランジスタの第１のゲートは前記第１のスイッチを介して第１の配線と電気的に接続され、
前記トランジスタの第１のゲートは前記第２のスイッチを介して前記トランジスタのソース又はドレインの一方と電気的に接続され、
前記トランジスタのソース又はドレインの他方は第２の配線と電気的に接続され、
前記トランジスタの第２のゲートは前記第３のスイッチを介して前記第２の配線と電気的に接続され、
前記トランジスタのソース又はドレインの一方は前記第４のスイッチを介して第３の配線と電気的に接続され、
前記第１の容量素子は前記トランジスタの前記第１のゲートと前記トランジスタのソース又はドレインの一方との間の電位差を保持する機能を有し、
前記第２の容量素子は前記トランジスタの前記第２のゲートと前記トランジスタのソース又はドレインの一方との間の電位差を保持する機能を有し、
前記トランジスタのソース又はドレインの一方は前記発光素子と電気的に接続される電子機器。
【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
気−気熱交換器であって、
流体が閉鎖された通路を通って流れるように作動可能なように、閉鎖された通路を熱伝達エレメントの間に形成するように配置された複数の熱伝達エレメントをそれぞれ支持するエレメント支持バスケットと、
前記熱交換器の未処理の煙道ガス出口ダクト内に配置され、
前記複数の熱伝達エレメントおよび前記閉鎖された通路からの蓄積した物質の上方への流体噴霧クリーニングと、前記熱伝達エレメントおよび前記閉鎖された通路からの前記蓄積した物質および噴霧した流体の下方への排出動作が可能な流体供給部に流体接続された複数のノズルを備える熱伝達エレメントクリーニングシステムと、
前記複数の熱伝達エレメントおよび前記閉鎖された通路から除去され、前記下方への排出される噴霧された流体および蓄積した物質の収集のために、前記熱伝達エレメントクリーニングシステムの下方に配置されかつ作動可能な流出物収集器ホッパと、
該流出物収集器ホッパをクリーニングし、かつ該流出物収集器ホッパの詰まりを防止するために、前記流出物収集器ホッパから排出部を通る流体および蓄積した物質の排出のために前記流出物収集器ホッパの水平流体噴霧クリーニングのために作動可能な流体供給部に流体接続された、排出部を備える流出物収集器ホッパクリーニングシステムと、
を備える、気−気熱交換器。
【請求項２】
前記流体供給部は、水である、請求項１に記載の交換器。
【請求項３】
前記熱伝達エレメントクリーニングシステムの上方への流体噴霧は、前記複数の熱伝達エレメントおよび前記閉鎖された通路のクリーニングのための約４００ｂａｒから約７００ｂａｒの圧力のものである、請求項１に記載の交換器。
【請求項４】
前記熱伝達エレメントクリーニングシステムの上方への流体噴霧は、前記熱伝達エレメントおよび前記閉鎖された通路のクリーニングのための約５００ｂａｒの圧力のものである、請求項１に記載の交換器。
【請求項５】
前記流出物収集器ホッパクリーニングシステムの水平流体噴霧は、該流出物収集器ホッパクリーニングシステムの詰まりを防止するための約４００ｂａｒから約７００ｂａｒの圧力のものである、請求項１に記載の交換器。
【請求項６】
気−気熱交換器を製造する方法であって、
エレメント支持バスケットを備える熱交換器を提供し、
流体の流れが通過するための閉鎖された通路を熱伝達エレメントの間に形成するように前記エレメント支持バスケット内に配置および支持するために、剛性の材料シートから前記熱伝達エレメントを製造し、
前記熱伝達エレメントおよび前記通路からの蓄積した物質の流体噴霧クリーニングのために配置されかつ作動可能な、流体供給部に流体接続された複数のノズルを備える熱伝達エレメントクリーニングシステムを提供し、
前記熱伝達エレメントおよび前記通路から除去された噴霧された流体および蓄積した物質の収集のために配置されかつ作動可能な流出物収集器ホッパを提供し、
該流出物収集器ホッパをクリーニングし、かつ該流出物収集器ホッパの詰まりを防止するために、前記流出物収集器ホッパからの流体および蓄積した物質の排出のために前記流出物収集器ホッパの流体噴霧クリーニングのために作動可能な流体供給部に流体接続された、排出部を備える流出物収集器ホッパクリーニングシステムを提供する、ことを含むことを特徴とする、気−気熱交換器を製造する方法。
【請求項７】
前記流体供給部は、水である、請求項６に記載の方法。
【請求項８】
前記熱伝達エレメントクリーニングシステムの流体噴霧は、前記熱伝達エレメントおよび前記通路のクリーニングのために毎時約１分間から約５分間使用される約４００ｂａｒから約７００ｂａｒの圧力のものである、請求項６に記載の方法。
【請求項９】
前記熱伝達エレメントクリーニングシステムの流体噴霧は、前記熱伝達エレメントおよび前記通路のクリーニングのために毎時約２分間使用される約５００ｂａｒの圧力のものである、請求項６に記載の方法。
【請求項１０】
前記流出物収集器ホッパクリーニングシステムの流体噴霧は、該流出物収集器ホッパクリーニングシステムの詰まりを防止するための該流出物収集器ホッパクリーニングシステムのクリーニングのための毎時約１分間から約５分間使用される約４００ｂａｒから約７００ｂａｒの圧力のものである、請求項６に記載の方法。
【請求項１１】
気−気熱交換器を使用する方法であって、
エレメント支持バスケットを備える熱交換器を提供し、
流体の流れが通過するための閉鎖された通路を熱伝達エレメントの間に形成するように前記エレメント支持バスケット内に熱伝達エレメントを配置し、
様々な温度の流体を、該流体の間の熱伝達のために前記通路に通過させ、
前記熱伝達エレメントおよび前記通路からの蓄積した物質の流体噴霧クリーニングのために配置されかつ作動可能な、流体供給部に流体接続された複数のノズルを備える熱伝達エレメントクリーニングシステムを使用し、
前記熱伝達エレメントおよび前記通路から除去された噴霧された流体および蓄積した物質の収集のために配置されかつ作動可能な流出物収集器ホッパを使用し、
該流出物収集器ホッパをクリーニングし、かつ該流出物収集器ホッパの詰まりを防止するために、前記流出物収集器ホッパからの流体および蓄積した物質の排出のために前記流出物収集器ホッパの流体噴霧クリーニングのために作動可能な流体供給部に流体接続された、排出部を備える流出物収集器ホッパクリーニングシステムを使用する、ことを含むことを特徴とする、気−気熱交換器を使用する方法。
【請求項１２】
前記流体供給部は、水である、請求項１１に記載の方法。
【請求項１３】
前記熱伝達エレメントクリーニングシステムの流体噴霧は、前記熱伝達エレメントおよび前記通路のクリーニングのために毎時約１分間から約５分間使用される約４００ｂａｒから約７００ｂａｒの圧力のものである、請求項１１に記載の方法。
【請求項１４】
前記熱伝達エレメントクリーニングシステムの流体噴霧は、前記熱伝達エレメントおよび前記通路のクリーニングのために毎時約２分間使用される約５００ｂａｒの圧力のものである、請求項１１に記載の方法。
【請求項１５】
前記流出物収集器ホッパクリーニングシステムの流体噴霧は、該流出物収集器ホッパクリーニングシステムの詰まりを防止するための該流出物収集器ホッパクリーニングシステムのクリーニングのための毎時約１分間から約５分間使用される約４００ｂａｒから約７００ｂａｒの圧力のものである、請求項１１に記載の方法。
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
集積回路（ＩＣ）のセンタリングおよびポジショニングのための位置決めフレーム構造であって、
規定された第１のチャンバおよび第２のチャンバを有するＩＣキャリアであって、当該第２のチャンバが第１のチャンバ上に全体的に配置される、前記ＩＣキャリアと、
前記ＩＣキャリアの前記第１のチャンバ内に配置されるＩＣ位置決め磁石と、
前記ＩＣキャリアの第２のチャンバ内に配置され、かつ前記ＩＣキャリアの第１のチャンバ内の前記ＩＣ位置決め磁石の上方に配置されたＩＣホルダとを含み、前記ＩＣホルダは、ＩＣを保持するように構成され、これにより、前記ＩＣ位置決め磁石に対するＩＣのセンタリングおよびポジショニングを提供する、位置決めフレーム構造。
【請求項２】
前記ＩＣホルダには受け部が形成され、前記受け部はＩＣを保持するように構成される、請求項１に記載の位置決めフレーム構造。
【請求項３】
前記受け部は、前記ＩＣのサイズおよび形状に対応するサイズおよび形状とされ、その結果、前記ＩＣは前記受け部内に固定して配置され得る、請求項２に記載の位置決めフレーム構造。
【請求項４】
前記ＩＣ位置決め磁石は、前記ＩＣキャリアの第１のチャンバのサイズに対応するサイズとされ、この結果、前記ＩＣ位置決め磁石は、前記第１のチャンバ内に固定して配置され得る、請求項１に記載の位置決めフレーム構造。
【請求項５】
前記ＩＣ位置決め磁石のサイズは、前記ＩＣのサイズよりも大きい、請求項１に記載の位置決めフレーム構造。
【請求項６】
前記ＩＣキャリアの前記第２のチャンバは、前記ＩＣキャリアの前記第１のチャンバのサイズよりも大きいサイズである、請求項１に記載の位置決めフレーム構造。
【請求項７】
ショルダー（肩部）が、前記第１のチャンバと前記第２のチャンバの間に形成され、前記ＩＣホルダが、当該ショルダーに抗して前記ＩＣキャリアの前記第２のチャンバ内に配置される、請求項１に記載の位置決めフレーム構造。
【請求項８】
前記ＩＣホルダは、前記ＩＣキャリアの前記第２のチャンバのサイズに対応するサイズの外周を有し、その結果、前記ＩＣホルダが、前記第２のチャンバ内に固定して配置され得る、請求項１ないし７いずれか１つに記載の位置決めフレーム構造。
【請求項９】
前記ＩＣキャリアの第２のチャンバは、前記ＩＣキャリアの第１のチャンバのサイズよりも小さいサイズである、請求項１に記載の位置決めフレーム構造。
【請求項１０】
前記ＩＣキャリアの第２のチャンバは、前記ＩＣキャリアの第１のチャンバのサイズと等しいサイズである、請求項１に記載の位置決めフレーム構造。
【請求項１１】
前記第２のチャンバは、対称の六角形の断面を有し、前記ＩＣホルダは、前記第２のチャンバの断面に一致するように構成された対応する対称の六角形の断面を有する、請求項１に記載の位置決めフレーム構造。
【請求項１２】
前記受け部は、ＩＣの形状とサイズに対応するような形状とサイズであり、その結果、ＩＣは、形状適合により前記受け部内にしっかりと配置され得る、請求項３に記載の位置決めフレーム構造。
【請求項１３】
集積回路（ＩＣ）のセンタリングおよびポジショニングのためのフレーム構造を位置決めする方法であって、
規定された第１のチャンバおよび第２のチャンバを有するＩＣキャリアを提供し、ＩＣ位置決め磁石が前記第１のチャンバ内に配置され、ＩＣホルダが前記第２のチャンバ内に配置されかつ前記第１のチャンバ内のＩＣ位置決め磁石上に配置され、前記第２のチャンバが前記第１のチャンバ上に全体的に配置されており、
前記ＩＣホルダによって、ＩＣを保持し、これにより、前記ＩＣ位置決め磁石に対するＩＣのセンタリングおよびポジショニングを提供する、方法。
【請求項１４】
前記ＩＣホルダには受け部が形成され、前記ＩＣの保持は、前記ＩＣホルダの前記受け部によりＩＣを保持することを含む、請求項１３に記載の方法。
【誤訳訂正書】
【提出日】平成30年1月16日(2018.1.16)
【誤訳訂正１】
【訂正対象書類名】明細書
【訂正対象項目名】０００１
【訂正方法】変更
【訂正の内容】
【０００１】
本発明は、クロイチゴ植物(Rubus fructicosus)の抽出物を使用して育毛を誘発し、髪質を改善するための局所適用組成物及び方法に関する。
【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
スパークプラグ（１００）であって、
内燃機関に取り付け可能な筒状の取付金具（１０）と、
前記取付金具に絶縁保持され、一端部（３１）が前記取付金具の一端部（１１）から露出して延びる中心電極（３０）と、
一端側が前記取付金具の一端部に接合され、他端側の一面（４５）が前記中心電極の一端部に対向するように延びる接地電極（４０）と、
前記接地電極の前記一面において前記中心電極に向かって前記接地電極の母材から突出しており、その表面が外方に凸であり、かつ、角部を有しない面で形成される凸部（４６，４６Ａ，４６Ｂ）と、
前記凸部の表面に形成される貴金属層（６０）と、
を備え、
前記接地電極の前記一面から前記凸部の突出方向の高さをｈ、前記凸部の前記一面上の断面における重心から縁端までの最大長をｒとするとき、前記凸部の形状がｈ／ｒ≦１．３を満たすスパークプラグ。
【請求項２】
前記凸部の形状がｈ／ｒ≦１．０を満たす、
請求項１に記載のスパークプラグ。
【請求項３】
前記凸部（４６）の先端形状が半球状である、
請求項２に記載のスパークプラグ。
【請求項４】
前記凸部（４６，４６Ａ，４６Ｂ）は、前記接地電極の母材の一部を押出成形によって突出させてなり、
前記貴金属層は、前記接地電極の前記一面に接着された後に前記押出成形によって前記凸部の表面の全域に亘り形成される、
請求項１〜３のいずれか１項に記載のスパークプラグ。
【請求項５】
前記接地電極の前記凸部と前記中心電極との間の最小ギャップ部における前記貴金属層の厚さをｔ２、前記貴金属層の最小の厚さをｔ３とするとき、前記貴金属層はｔ３／ｔ２≧０．６を満たすよう形成される、
請求項１〜４のいずれか１項に記載のスパークプラグ。
【請求項６】
スパークプラグ（１００）の製造方法であって、
前記スパークプラグは、
内燃機関に取り付け可能な筒状の取付金具（１０）と、
前記取付金具に絶縁保持され、一端部（３１）が前記取付金具の一端部（１１）から露出して延びる中心電極（３０）と、
一端側が前記取付金具の一端部に接合され、他端側の一面（４５）が前記中心電極の一端部に対向するように延びる接地電極（４０）と、
を備え、
前記接地電極の前記一面において前記中心電極に向かって前記接地電極の母材から突出しており、その表面が外方に凸であり、かつ、角部を有しない面である凸部（４６，４６Ａ，４６Ｂ）を形成する凸部形成ステップと、
前記凸部の表面に貴金属層（６０）を形成する貴金属層形成ステップと、
を含み、
前記凸部形成ステップは、前記接地電極の母材の一部を押出成形によって突出させて前記凸部を形成し、
前記凸部形成ステップの前に、前記接地電極の前記一面に前記貴金属層を接着する接着ステップを含み、
前記貴金属層形成ステップは、前記接着ステップにて前記貴金属層が接着された状態で前記凸部形成ステップの前記押出成形を行うことによって、前記凸部の表面の全域に亘り前記貴金属層を形成する、スパークプラグの製造方法。
【請求項７】
前記凸部形成ステップは、前記押出成形の金型の軸線と、形成される前記凸部の軸線とが一致するように前記押出成形を行う、
請求項６に記載のスパークプラグの製造方法。
【請求項８】
前記貴金属層形成ステップの後に、前記接地電極の前記一面に形成された前記凸部と、前記凸部の表面に形成された前記貴金属層の先端部を平打ち加工して平坦部を形成する平打ちステップを含む、
請求項６〜７のいずれか１項に記載のスパークプラグの製造方法。
【手続補正２】
【補正対象書類名】明細書
【補正対象項目名】０００７
【補正方法】変更
【補正の内容】
【０００７】
本開示は、スパークプラグ（１００）であって、内燃機関に取り付け可能な筒状の取付金具（１０）と、前記取付金具に絶縁保持され、一端部（３１）が前記取付金具の一端部（１１）から露出して延びる中心電極（３０）と、一端側が前記取付金具の一端部に接合され、他端側の一面（４５）が前記中心電極の一端部に対向するように延びる接地電極（４０）と、前記接地電極の前記一面において前記中心電極に向かって前記接地電極の母材から突出しており、その表面が外方に凸であり、かつ、角部を有しない面で形成される凸部（４６）と、前記凸部の表面に形成される貴金属層（６０）と、を備えるスパークプラグである。前記接地電極の前記一面から前記凸部の突出方向の高さをｈ、前記凸部の前記一面上の断面における重心から縁端までの最大長をｒとするとき、前記凸部の形状がｈ／ｒ≦１．３を満たす。
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
貯蔵庫の扉の開放端側に設けられている貯蔵庫用カメラ装置であって、
ケースと、
前記ケースの内部に収容され貯蔵庫内を撮像する撮像手段と、
前記ケースの内部に収容される電池と、を具備し、
前記電池は、ケースにおける下部に配置され、
前記ケースの中心に対して装置全体の重心が異なる貯蔵庫用カメラ装置。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
撮像画像に含まれるオブジェクトを認識するオブジェクト認識手段と、
前記認識されたオブジェクトに関する操作画面を表示装置に表示させる表示制御手段と、
撮像画像に含まれる操作体の位置及び動きの少なくとも一方に基づいて、前記操作画面に対する入力操作を認識する操作認識手段と、
を有し、
前記表示制御手段は、撮像画像にマーカが含まれる場合に、前記表示装置に前記操作画面を表示させ、
前記マーカは、ユーザに身につけられているデバイスのディスプレイ装置に表示される画像であるか、前記デバイスに描画、印字、若しくは付されたものであるか、前記ユーザに身につけられているか、又は前記ユーザの身体の一部である、情報処理装置。
【請求項２】
前記表示制御手段は、前記認識されたオブジェクトに関するオブジェクト情報を取得し、前記取得されたオブジェクト情報を前記表示装置に表示させる、請求項１に記載の情報処理装置。
【請求項３】
前記オブジェクト認識手段は、撮像画像を解析することでその撮像画像に含まれるオブジェクトを認識するか、又はオブジェクトに付されたシンボルからそのオブジェクトの識別子を読み取ることでそのオブジェクトを認識する、請求項１又は２に記載の情報処理装置。
【請求項４】
前記表示制御手段は、撮像画像に含まれる前記マーカの位置に基づいて定まる位置に前記操作画面を表示させる、請求項１乃至３いずれか一項に記載の情報処理装置。
【請求項５】
前記表示制御手段は、通信回線を介し、前記操作画面又は前記操作画面を重畳させた撮像画像を送信する、請求項１乃至４いずれか一項に記載の情報処理装置。
【請求項６】
前記操作認識手段は、ユーザに身につけられるデバイスに備えられたセンサの検出結果に基づいて定まるタイミングにおいて撮像画像に含まれる操作体の位置を検出するか、又は前記タイミングに基づいて定まる時間において撮像画像に含まれる前記操作体の動きを検出し、前記検出した位置又は動きに基づいて入力操作を認識する、請求項１乃至５いずれか一項に記載の情報処理装置。
【請求項７】
前記オブジェクトは商品である、請求項１乃至６いずれか一項に記載の情報処理装置。
【請求項８】
表示装置と、
情報処理装置と、を有し、
前記情報処理装置は、
撮像画像に含まれるオブジェクトを認識するオブジェクト認識手段と、
前記認識されたオブジェクトに関する操作画面を表示装置に表示させる表示制御手段と、
撮像画像に含まれる操作体の位置及び動きの少なくとも一方に基づいて、前記操作画面に対する入力操作を認識する操作認識手段と、
を有し、
前記表示制御手段は、撮像画像にマーカが含まれる場合に、前記表示装置に前記操作画面を表示させ、
前記マーカは、ユーザに身につけられているデバイスのディスプレイ装置に表示される画像であるか、前記デバイスに描画、印字、若しくは付されたものであるか、前記ユーザに身につけられているか、又は前記ユーザの身体の一部である、情報処理システム。
【請求項９】
コンピュータによって実行される制御方法であって、
撮像画像に含まれるオブジェクトを認識するオブジェクト認識ステップと、
前記認識されたオブジェクトに関する操作画面を表示装置に表示させる表示制御ステップと、
撮像画像に含まれる操作体の位置及び動きの少なくとも一方に基づいて、前記操作画面に対する入力操作を認識する操作認識ステップと、
を有し、
前記表示制御ステップにおいて、撮像画像にマーカが含まれる場合に、前記表示装置に前記操作画面を表示させ、
前記マーカは、ユーザに身につけられているデバイスのディスプレイ装置に表示される画像であるか、前記デバイスに描画、印字、若しくは付されたものであるか、前記ユーザに身につけられているか、又は前記ユーザの身体の一部である、制御方法。
【請求項１０】
コンピュータに、
撮像画像に含まれるオブジェクトを認識するオブジェクト認識ステップと、
前記認識されたオブジェクトに関する操作画面を表示装置に表示させる表示制御ステップと、
撮像画像に含まれる操作体の位置及び動きの少なくとも一方に基づいて、前記操作画面に対する入力操作を認識する操作認識ステップと、
を実行させ、
前記表示制御ステップにおいて、撮像画像にマーカが含まれる場合に、前記表示装置に前記操作画面を表示させ、
前記マーカは、ユーザに身につけられているデバイスのディスプレイ装置に表示される画像であるか、前記デバイスに描画、印字、若しくは付されたものであるか、前記ユーザに身につけられているか、又は前記ユーザの身体の一部である、プログラム。
【手続補正２】
【補正対象書類名】明細書
【補正対象項目名】０００６
【補正方法】変更
【補正の内容】
【０００６】
本発明の情報処理装置は、（１）撮像画像に含まれるオブジェクトを認識するオブジェクト認識手段と、（２）前記認識されたオブジェクトに関する操作画面を表示装置に表示させる表示制御手段と、（３）撮像画像に含まれる操作体の位置及び動きの少なくとも一方に基づいて、前記操作画面に対する入力操作を認識する操作認識手段と、を有する。前記表示制御手段は、撮像画像にマーカが含まれる場合に、前記表示装置に前記操作画面を表示させる。前記マーカは、ユーザに身につけられているデバイスのディスプレイ装置に表示される画像であるか、前記デバイスに描画、印字、若しくは付されたものであるか、前記ユーザに身につけられているか、又は前記ユーザの身体の一部である。
【手続補正３】
【補正対象書類名】明細書
【補正対象項目名】０００８
【補正方法】変更
【補正の内容】
【０００８】
本発明の制御方法は、コンピュータによって実行される。当該制御方法は、（１）撮像画像に含まれるオブジェクトを認識するオブジェクト認識ステップと、（２）前記認識されたオブジェクトに関する操作画面を表示装置に表示させる表示制御ステップと、（３）撮像画像に含まれる操作体の位置及び動きの少なくとも一方に基づいて、前記操作画面に対する入力操作を認識する操作認識ステップと、を有する。前記表示制御ステップにおいて、撮像画像にマーカが含まれる場合に、前記表示装置に前記操作画面を表示させる。前記マーカは、ユーザに身につけられているデバイスのディスプレイ装置に表示される画像であるか、前記デバイスに描画、印字、若しくは付されたものであるか、前記ユーザに身につけられているか、又は前記ユーザの身体の一部である。
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
図面に関する内容を示すオブジェクトを含む図面を表示する情報処理装置のプログラムであって、
前記情報処理装置を、
図面のチェック対象の項目を決定する項目決定手段、
前記オブジェクトの指定に基づき、前記項目決定手段により決定される項目と前記指定されたオブジェクトとを対応付ける対応付手段、
前記対応付手段により対応付けられるオブジェクトが異なる表示形態となるようレイヤーを変更させて表示制御する表示制御手段、
として機能させるための情報処理装置のプログラム。
【請求項２】
前記表示制御手段は、オブジェクトを、第１の表示形態となる第１のレイヤーから異なる第２の表示形態となる第２のレイヤーに変更させることを特徴とする請求項１に記載の情報処理装置のプログラム。
【請求項３】
前記表示制御手段は、前記オブジェクトを一括して前記第２のレイヤーから前記第１のレイヤーへ変更させて表示することを特徴とする請求項２に記載の情報処理装置のプログラム。
【請求項４】
前記表示制御手段は、前記第２のレイヤーから前記第１のレイヤーへオブジェクトを変更させる場合、変更されるオブジェクトをユーザが識別できるように表示することを特徴とする請求項２又は３に記載の情報処理装置のプログラム。
【請求項５】
前記対応付手段は、前記図面に新たな前記オブジェクトが追加された場合に、前記項目決定手段で決定された項目と、当該追加されたオブジェクトとを対応付けることを特徴とする請求項１乃至４のいずれか１項に記載の情報処理装置のプログラム。
【請求項６】
前記対応付手段により対応付けられた項目とオブジェクトとの情報を出力する出力手段を備えることを特徴とする請求項１乃至５のいずれか１項に記載の情報処理装置のプログラム。
【請求項７】
前記対応付手段は、前記項目とオブジェクトとを対応付け画面を用いて対応付けることを特徴とする請求項１乃至６のいずれか１項に記載の情報処理装置のプログラム。
【請求項８】
図面に関する内容を示すオブジェクトを含む図面を表示する情報処理装置であって、
図面のチェック対象の項目を決定する項目決定手段と、
前記オブジェクトの指定に基づき、前記項目決定手段により決定される項目と前記指定されたオブジェクトとを対応付ける対応付手段と、
前記対応付手段により対応付けられるオブジェクトが異なる表示形態となるようレイヤーを変更させて表示制御する表示制御手段と、
を備えることを特徴とする情報処理装置。
【請求項９】
図面に関する内容を示すオブジェクトを含む図面を表示する情報処理方法であって、
情報処理装置が、
図面のチェック対象の項目を決定する項目決定ステップと、
前記オブジェクトの指定に基づき、前記項目決定ステップで決定される項目と前記指定されたオブジェクトとを対応付ける対応付ステップと、
前記対応付ステップで対応付けられるオブジェクトが異なる表示形態となるようレイヤーを変更させて表示制御する表示制御ステップと、
を実行することを特徴とする情報処理方法。
【手続補正２】
【補正対象書類名】明細書
【補正対象項目名】００１４
【補正方法】変更
【補正の内容】
【００１４】
本発明は、上記の問題点を鑑みてなされたものである。本発明の目的は、図面の検図にかかる作業を効率化する仕組みを提供することである。
【手続補正３】
【補正対象書類名】明細書
【補正対象項目名】００１５
【補正方法】変更
【補正の内容】
【００１５】
本発明は、図面に関する内容を示すオブジェクトを含む図面を表示する情報処理装置のプログラムであって、前記情報処理装置を、図面のチェック対象の項目を決定する項目決定手段、前記オブジェクトの指定に基づき、前記項目決定手段により決定される項目と前記指定されたオブジェクトとを対応付ける対応付手段、前記対応付手段により対応付けられるオブジェクトが異なる表示形態となるようレイヤーを変更させて表示制御する表示制御手段、として機能させることを特徴とする。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
第１のトランジスタと、第２のトランジスタと、第１の配線と、第２の配線と、第３の配線と、ゲート線と、を有し、
前記第１のトランジスタのソース電極又はドレイン電極の一方は、前記ゲート線と電気的に接続され、
前記第１のトランジスタのソース電極又はドレイン電極の他方は、第１の導電層を介して前記第２の配線と電気的に接続され、
前記第２のトランジスタのソース電極又はドレイン電極の一方は、前記ゲート線と電気的に接続され、
前記第２のトランジスタのソース電極又はドレイン電極の他方は、前記第３の配線と電気的に接続され、
前記第１のトランジスタにおいて、ソース電極又はドレイン電極の一方とゲート電極とが互いに重なる面積は、ソース電極又はドレイン電極の他方とゲート電極とが互いに重なる面積よりも大きく、
前記第２のトランジスタにおいて、ソース電極又はドレイン電極の一方とゲート電極とが互いに重なる面積は、ソース電極又はドレイン電極の他方とゲート電極とが互いに重なる面積よりも小さく、
前記第１の配線は、第１の開口部を有し、
前記第２の配線は、第２の開口部を有し、
前記第１の導電層は、前記第１の開口部と重なる領域を有する表示装置。
【請求項２】
第１のトランジスタと、第２のトランジスタと、第３のトランジスタと、第１の配線と、第２の配線と、第３の配線と、ゲート線と、を有し、
前記第１のトランジスタのソース電極又はドレイン電極の一方は、前記ゲート線と電気的に接続され、
前記第１のトランジスタのソース電極又はドレイン電極の他方は、第１の導電層を介して前記第２の配線と電気的に接続され、
前記第２のトランジスタのソース電極又はドレイン電極の一方は、前記ゲート線と電気的に接続され、
前記第２のトランジスタのソース電極又はドレイン電極の他方は、前記第３の配線と電気的に接続され、
前記第３のトランジスタのソース電極又はドレイン電極の一方は、前記第１のトランジスタのゲート電極と電気的に接続され、
前記第３のトランジスタのソース電極又はドレイン電極の他方は、前記第３の配線と電気的に接続され、
前記第１のトランジスタにおいて、ソース電極又はドレイン電極の一方とゲート電極とが互いに重なる面積は、ソース電極又はドレイン電極の他方とゲート電極とが互いに重なる面積よりも大きく、
前記第２のトランジスタにおいて、ソース電極又はドレイン電極の一方とゲート電極とが互いに重なる面積は、ソース電極又はドレイン電極の他方とゲート電極とが互いに重なる面積よりも小さく、
前記第３のトランジスタにおいて、ソース電極又はドレイン電極の一方とゲート電極とが互いに重なる面積は、ソース電極又はドレイン電極の他方とゲート電極とが互いに重なる面積よりも小さく、
前記第１の配線は、第１の開口部を有し、
前記第２の配線は、第２の開口部を有し、
前記第１の導電層は、前記第１の開口部と重なる領域を有する表示装置。
【請求項３】
第１のトランジスタと、第２のトランジスタと、第１の配線と、第２の配線と、第３の配線と、ゲート線と、を有し、
前記第１のトランジスタのソース電極又はドレイン電極の一方は、前記ゲート線と電気的に接続され、
前記第１のトランジスタのソース電極又はドレイン電極の他方は、第１の導電層を介して前記第２の配線と電気的に接続され、
前記第２のトランジスタのソース電極又はドレイン電極の一方は、前記ゲート線と電気的に接続され、
前記第２のトランジスタのソース電極又はドレイン電極の他方は、前記第３の配線と電気的に接続され、
前記第１のトランジスタにおいて、ソース電極又はドレイン電極の一方とゲート電極とが互いに重なる面積は、ソース電極又はドレイン電極の他方とゲート電極とが互いに重なる面積よりも大きく、
前記第２のトランジスタにおいて、ソース電極又はドレイン電極の一方とゲート電極とが互いに重なる面積は、ソース電極又はドレイン電極の他方とゲート電極とが互いに重なる面積よりも小さく、
前記第１の配線は、第１の開口部を有し、
前記第２の配線は、第２の開口部を有し、
前記第１の配線には、第１のクロック信号が入力され、
前記第２の配線には、第２のクロック信号が入力され、
前記第１の導電層は、前記第１の開口部と重なる領域を有する表示装置。
【請求項４】
第１のトランジスタと、第２のトランジスタと、第１の配線と、第２の配線と、第３の配線と、ゲート線と、を有し、
前記第１のトランジスタのソース電極又はドレイン電極の一方は、前記ゲート線と電気的に接続され、
前記第１のトランジスタのソース電極又はドレイン電極の他方は、第１の導電層を介して前記第２の配線と電気的に接続され、
前記第２のトランジスタのソース電極又はドレイン電極の一方は、前記ゲート線と電気的に接続され、
前記第２のトランジスタのソース電極又はドレイン電極の他方は、前記第３の配線と電気的に接続され、
前記第１のトランジスタにおいて、ソース電極又はドレイン電極の一方とゲート電極とが互いに重なる面積は、ソース電極又はドレイン電極の他方とゲート電極とが互いに重なる面積よりも大きく、
前記第２のトランジスタにおいて、ソース電極又はドレイン電極の一方とゲート電極とが互いに重なる面積は、ソース電極又はドレイン電極の他方とゲート電極とが互いに重なる面積よりも小さく、
前記第１の配線は、第１の開口部を有し、
前記第２の配線は、第２の開口部を有し、
前記第１の配線の配線幅は、前記第３の配線の配線幅よりも大きく、
前記第２の配線の配線幅は、前記第３の配線の配線幅よりも大きく、
前記第１の導電層は、前記第１の開口部と重なる領域を有する表示装置。